(57)【要約】【課題】従来のベーゴマのように巻きつけた紐の巻き戻しで回転させるとともに、ベーゴマ玩具の落とし所の腕前を問われ、単にシュータを使ってコマ玩具を回転させるコマ玩具では味わうことのできないテクニックが必要とされ、奥の深いベーゴマ遊びを楽しむことができるベーゴマ玩具を提供すること。【解決手段】ベーゴマ玩具１は略逆円錐台状に形成されるとともに底面から回転軸体６が下方に突出し、該回転軸体６の周面には張り出し部１３が周設され、上記ベーゴマ玩具１の側面には、上記紐２の巻き始めを係合させるための切欠き３２が少なくとも1つ形成し、上記ベーゴマ玩具１の周面には、上記切欠き３２から上記回転軸６の張り出し部１３にかけて、上記紐２をガイドするガイド溝２２を形成した。【選択図】図１
2007209558.tif 000002
【特許請求の範囲】
【請求項１】
ベーゴマ玩具の周面に巻き回した紐の巻き戻しで回転させる、以下の要件を備えることを特徴とするベーゴマ玩具。
（イ）上記ベーゴマ玩具は、略逆円錐台状に形成されるとともに底面から回転軸が突出して形成され、該回転軸の周面には突縁が周設されていること
（ロ）上記ベーゴマ玩具の側面には、コマ玩具に回転力を付与するために用いる紐の巻きはじめを係合させるための切欠きが少なくとも1つ形成されていること
（ハ）上記ベーゴマ玩具の底部には、上記切欠きから上記回転軸部の側面にかけて、上記紐をガイドするガイド溝が構成されていること
【請求項２】
前記ベーゴマ玩具の側面には、前記紐の巻き終わりを固定するための固定溝を設けた、請求項１記載のベーゴマ玩具。
【請求項３】
前記ベーゴマ玩具は、錘部材を含む複数の部材を層状に重ねて構成される、請求項１及び２記載のベーゴマ玩具。
【発明の詳細な説明】
【技術分野】
【０００１】
本発明は、ベーゴマ玩具、詳しくはベーゴマ玩具を回転させるための紐の巻き付けを容易にしたベーゴマ玩具に関するものである。
【背景技術】
【０００２】
従来、コマを回して他のコマとぶつけ合って遊ぶコマ回しが昔から楽しまれており、その中でもベーゴマが子供たちに受け入れられていた。このベーゴマは紐を巻きまわし、巻き回した紐を一気に巻き戻すことにより、ベーゴマに回転を付与させるものであったが、紐に２つの結び目を作り、この２つの結び目に紐を巻きまわすため紐の巻き回しが難しく、年少者には経験が必要になるため簡単にベーゴマを楽しむことができなかったが、誰でも簡単にコマ回しが楽しめるように新しいコマ玩具が本出願人から提案され実用に供されている（例えば、特許文献１）。
【０００３】
このコマ玩具は、シュータに差し込んだラック部材を引き操作することによってコマ玩具を回転させるようにしたもので、コマ玩具に紐を巻きつける必要がなく、誰でも簡単にコマ玩具を回転させることができるものであった。
【特許文献１】登録実用新案第３０３７３１８号公報（「００２４」、図１１参照）
【発明の開示】
【発明が解決しようとする課題】
【０００４】
本発明が解決しようとする問題点は、上述のコマ玩具は、コマ玩具を落とす場所の上方にシュータを保持し、ラック部材を引き操作するだけで目的の場所にコマ玩具を落とすことができるが、従来のコマ玩具に紐を巻きつけコマ玩具を目的の場所に放り出すようにして回転させるための技術を必要としないもので、遊戯者の経験や技術が遊びの優劣に反映されない点であった。
【０００５】
本発明は、上記問題点を解決し、従来のベーゴマのように巻きつけた紐の巻き戻しで回転させるとともに、ベーゴマ玩具の落とし所の腕前を問われ、単にシュータを使ってコマ玩具を回転させるコマ玩具では味わうことのできないテクニックが必要とされ、奥の深いベーゴマ遊びを楽しむことができるベーゴマ玩具を提供することを課題とする。
【課題を解決するための手段】
【０００６】
前記課題を解決するために本発明に係るベーゴマ玩具は、以下の要件を備えることを特徴とする。
（イ）上記ベーゴマ玩具は、略逆円錐台状に形成されるとともに底面から回転軸が突出して形成され、該回転軸の周面には突縁が周設されていること
（ロ）上記ベーゴマ玩具の側面には、コマ玩具に回転力を付与するために用いる紐の巻きはじめを係合させるための切欠きが少なくとも1つ形成されていること
（ハ）上記ベーゴマ玩具の底部には、上記切欠きから上記回転軸部の側面にかけて、上記紐をガイドするガイド溝が構成されていること
なお、前記ベーゴマ玩具の側面には、前記紐を固定するための固定溝を設けてもよい。
【０００７】
また、前記ベーゴマ玩具は、錘部材を含む複数の部材を層状に重ねて構成されるようにしてもよい。
【発明の効果】
【０００８】
請求項１の発明によれば、紐の巻き始めを切欠きに係合させ、この切欠きから回転軸に向けて形成されたガイド溝にそって回転軸まで案内し、回転軸から巻き始めるので、ベーゴマ玩具に紐が巻き付けやすく、本来のベーゴマと同じ遊び方を楽しむことができるベーゴマ玩具を提供することができる。
【０００９】
請求項２の発明によれば、ベーゴマ玩具に巻きつけた紐の巻き終わりが固定溝に固定されるので、折角巻きつけた紐が緩んで巻き直すような煩わしさを回避することができるベーゴマ玩具を提供することができる。
【００１０】
請求項３の発明によれば、ベーゴマ玩具を錘部材を含む複数の部材を層状に重ねて構成したので、各部材に色や形状などの特性を持たせた場合は、部材の組み合わせでオリジナリティのあるベーゴマ玩具を構築することができる。
【発明を実施するための最良の形態】
【００１１】
図１は、本発明に係るベーゴマ玩具１の平面側斜視図を示し、このベーゴマ玩具１は紐２を巻きつけ、巻きつけた紐２を一気に巻き戻すことによって回転が付与されるように構成されているもので、このベーゴマ玩具１は、図２（ａ）、（ｂ）の正面図及び側面図に示すように、ベース部材５と、ベース部材５の底面から下方に突出した回転軸部６と、ベース部材５の内部に収容される錘部材７（図３の分解斜視図参照）と、該錘部材７を収容した状態で、ベース部材５の上に配置される天板８とを層状に組み付けたもので、天板８の上にはシール９が貼り付けられている。
【００１２】
回転軸部６は逆円錐状の基部１０の上面に基部１０の径よりもやや小さな径の嵌合筒１１が膨出して形成され、中央にはネジ孔１２が形成されている。そして、基部１０の外周部は玩具ベーゴマ玩具１に巻きつける紐２の巻き始めが回転軸部６から下方にずれないようにするための張り出し部１３を構成している。
【００１３】
なお、上記紐２の回転軸部６への最初の巻きつけは張り出し部１３の上からになるが、回転軸部６を太くしたことにより、巻き距離を短縮（巻き回数の減少）することができ、紐２を巻きやすくした。
【００１４】
ベース部材５は、逆円錐台状で上面が開口して擂鉢状に形成され、内部に錘部材７を収容できるようになっている。そして、底面には上記回転軸部６の嵌合筒１１を嵌め合わせるる嵌合穴１５が形成され、上面１６には対向して円弧状の壁１７が形成されている。この壁１７の高さは紐２の太さよりやや低く形成され、上記天板８を重ねた際、ベース部材５の上面１６と天板８の下面とで紐２を挟んで固定する固定溝１８を構成するようになっている。
【００１５】
なお、壁１７の中央部分は上方に少し膨出し、後述する天板８を重ねたとき、天板８とベース部材５との取り付け位置が正しくなるように天板８に形成されている係合凹部３１に係合する係合凸部１９が形成されている。
【００１６】
そして、上面２０の壁のない部分には切欠き２１が形成され、ベース部材５の周面には紐２を上記切欠き２１から回転軸部６に案内するガイド溝２２が、この切欠き２１に連続して形成されている（図２（ａ）参照）。
【００１７】
また、切欠き２１に直交する位置の周面には、巻き回した紐を固定溝１７に導くガイド部２３が切りかかれて形成されている。
【００１８】
錘部材７は、鉛や鉄などの金属で、上記ベース部材５の内側に収容できるように、ほぼ相似して形成され、上面２５には円弧状の壁２６が突出して形成され、底面には上述の回転軸部６の嵌合筒１１に嵌合する嵌合凸部２７が下方に膨出し、中央には縦にネジ２９を通すための貫通孔２８が形成されている。
【００１９】
この錘部材７をベース部材５の内側に収容したときには、錘部材７の上面２５と、ベース部材５の上面１６とが面一なり、錘部材７の壁２６の上面と、ベース部材５の壁１７の上面とが面一なり、嵌合凸部２７が回転軸部６の嵌合筒１１に嵌めあわされ、回転軸部６とベース部材５と錘部材７とが一体になるように形成されている。
【００２０】
天板８は、円板状に形成され、中央にはネジ２９を差し込む孔３０が形成され、裏面には上述したベース部材５に形成された係合凸部１９に係合する係合凹部３１が形成され、この係合凹部３１に直交する方向の周縁には紐２を咬みこませる切欠き３２が形成されている。この切欠き３２は天板８をベース部材５と連結したときにはベース部材５の切欠き２１と対応する位置に形成されている。
【００２１】
シール９は、アニメやゲームに登場するキャラクターなどの絵柄が印刷されたもので、天板８の孔２６を塞ぐとともに、を識別するための機能を備えたものである。
【００２２】
上記構成のベーゴマ玩具１は、回転軸部６の嵌合筒１１をベース部材５の下側から嵌合孔に嵌め合わせ、錘部材７を嵌合凸部２７が１１に嵌め合わせるようにしてベース部材５に収容し、ベース部材の上から天板を、ベース部材の１９に３１が嵌合するように取り付け、ネジ２９の先端を天板８の穴３０から差し込み、錘部材の貫通孔２８を通して回転軸部６のネジ孔１２に捻じ込んで締め付けることにより、回転軸部６、ベース部材５、錘部材７、天板８が層状になったベーゴマ玩具１を組み立てることができる。
【００２３】
上記構成のベーゴマ玩具１で遊ぶ場合は、先ずベーゴマ玩具１に紐２を巻きつけなければならないが、紐２の始端には結び目で構成されたコブ３５が1つ設けられ、他端には指を掛ける指掛け３６が取り付けられているので、コブ３５が天板８の上に位置するようにして始端を切欠き３２に噛み込ませた後、紐２を切欠き３２からガイド溝２２に沿って回転軸部６の側面まで案内し（図５（ａ）参照）、図５（ｂ）にしめすように、回転軸部６から巻き始める。この時、回転軸部６には張り出し部１３が形成されているので紐２は回転軸部６から外れることなく確実に回転軸部６に巻きつけることができる。回転軸部６に巻きつけた後、図５（ｃ）に示すように、ベース部材５の底面に紐２を巻き回し、底面の外周部まで巻いたらガイド部２３からベース部材５の上面に引き出し、図５（ｄ）に示すように、紐２を固定溝１８に咬み込ませる。この状態では紐２の始端は切欠き３２で固定され、紐２の巻き始めは回転軸体６の張り出し部１３で確実に回転軸体６に巻きつけることができ、ベース部材５に巻き回した紐２の巻き終わりは固定溝１８でしっかりと固定されるので、一旦ベーゴマ玩具１に巻きつけた紐２は緩むことがない。
【００２４】
この状態で、図５（ｅ）（ｆ）に示すように、人差し指、親指、中指でベーゴマ玩具１を掴んで、指掛け３６が小指にかかるようにして薬指、小指でしっかり紐２を握り、図示しないゲーム盤上の目的に向かって、従来のベーゴマと同じように振り出せばよい。
【００２５】
上述のように、ベーゴマ玩具１に紐２を巻きつける際は、切欠き３２、切欠き２１、ガイド溝２２に沿って回転軸部６から巻き始め、巻き終わりはガイド部２３から引き出して固定溝１８に固定させれば、簡単に且つ確実に紐をベーゴマ玩具１に巻きつけることができ、しかも巻きつけた紐２はベーゴマ玩具１を回転させる意思がなければ勝手に巻き戻ることがないので、従来のベーゴマのように紐を巻きつける苦労から解消され、ベーゴマゲームに集中することができるようになる。
【図面の簡単な説明】
【００２６】
【図１】本発明に係るベーゴマ玩具の平面側斜視図
【図２】（ａ）（ｂ）は上記ベーゴマ玩具の正面図及び側面図
【図３】上記ベーゴマ玩具の分解斜視図
【図４】上記ベーゴマ玩具の縦断面図
【図５】（ａ）〜（ｆ）は上記ベーゴマ玩具に紐を巻きつける状態を説明する斜視図
【符号の説明】
【００２７】
１    ベーゴマ玩具
２    紐
５    ベース部材
６    回転軸体
７    錘部材
８    天板
１３    張り出し部
１７    固定溝
２１    切欠き
２２    ガイド溝
３２    切欠き
【図１】
2007209558.tif 000003
【図２】
2007209558.tif 000004
【図３】
2007209558.tif 000005
【図４】
2007209558.tif 000006
【図５】
2007209558.tif 000007